(57)【要約】      （修正有）【課題】２度押しを防止しつつ、迅速な操作が可能な操作部を備える画像形成装置を提供する。【解決手段】タッチ検出部５２３によって、タッチパッド４Ｐへのタッチ位置が検出されると、タッチパネル５１に表示内容変更後の画面が表示される操作部５０において、ＣＰＵ５２１が情報集約テーブル５２５を参照して、表示内容変更後の画面が表示されたタッチパネル５１へのキータッチを無効にすべきかどうか判定し、無効にすべきでないと判定された場合は、キータッチを有効として受け付ける。【選択図】図３
2020115295.tif 000002
【特許請求の範囲】
【請求項１】
初期操作画面をルート画面とし、そのルート画面に複数の操作画面がツリー状に連関していて、任意の操作画面内のキーをタッチして目的の操作画面まで遷移し、所望の入力を行う、タッチパネル式の操作部を有した画像形成装置であって、
タッチパネルへのタッチを検出するタッチ検出手段と、
前記各操作画面に配置されたどのキーがタッチされた場合に表示内容がどのように変更されるかを示す情報を集約した情報集約部と、
タッチパネルにいずれかの操作画面を表示している状態においてキーが操作された場合、前記情報集約部の集約情報に基づいてタッチパネルの表示内容を変更する描画制御部と、
タッチパネルの表示内容が変更された時に、変更後の操作画面でのキータッチを一時的に無効にすべきかどうか判定する判定手段と、
判定結果が肯定的な場合に、キータッチを無効にする処理を行う無効手段と、
判定結果が否定的な場合に、キータッチを有効として受け付けるキータッチ有効化手段と、
を備えることを特徴とする画像形成装置。
【請求項２】
前記判定手段は、前記表示内容の変更が、画面が遷移するものであり、前記表示内容変更後の前記タッチパネルの操作画面におけるキーが、前記表示内容変更前の前記タッチパネルの操作画面において前記検出されたタッチに対応したキーが占有する領域を含んだ所定領域と重複しない場合に、キータッチを一時的に無効にすべきでないと判定する
ことを特徴とする請求項１に記載の画像形成装置。
【請求項３】
前記判定手段は、前記表示内容の変更が、タッチされたキーの状態が変化するものである場合に、キータッチを一時的に無効にすべきと判定する
ことを特徴とする請求項１に記載の画像形成装置。
【請求項４】
前記判定手段は、前記表示内容の変更が、画面が遷移するものであり、前記表示内容変更後の前記タッチパネルの操作画面におけるキーが、前記表示内容変更前の前記タッチパネルの操作画面において前記検出されたタッチに対応したキーが占有する領域を含んだ所定領域と重複し、この重複するキーがタッチされてもキー状態の変化および画面遷移が生じない場合に、キータッチを一時的に無効にすべきでないと判定する
ことを特徴とする請求項１に記載の画像形成装置。
【請求項５】
前記判定手段は、前記表示内容の変更が、キーが示す文字が前記タッチパネルの操作画面の一部の表示行に出力されるものである場合に、キータッチを一時的に無効にすべきでないと判定する
ことを特徴とする請求項１に記載の画像形成装置。
【請求項６】
前記所定領域は、前記検出されたタッチに対応したキーが前記表示内容変更前の前記タッチパネルの操作画面において占有する領域よりも大きい
ことを特徴とする請求項２または４に記載の画像形成装置。
【発明の詳細な説明】
【技術分野】
【０００１】
本発明は、プリンターなどの画像形成装置に関し、殊に、タッチパネル式の操作パネルに関する。
【背景技術】
【０００２】
近年、操作パネルに表示する機能の増加や操作パネルの奥行き方向の省スペース化から、操作パネルに用いられるタッチパネルが大型化・薄型化の傾向にある。
【０００３】
また、操作パネルは、ユーザーの視認性を確保するため、ヒンジ等で傾斜角を調整できる機構になっているものがあり、このような機構において、操作パネルが大型かつ薄型になると、ユーザーがタッチ入力操作のようにヒンジを回転させない程度の力でタッチパネルを押した場合、ヒンジ自体は回転しないが、ヒンジを支点にして操作パネルが撓りやすくなる。
【０００４】
そして、ユーザーが操作パネルから指を離した後、次のタッチ入力に備えるべくタッチパネルの表面に近い位置で指を待機させる場合、操作パネルが、撓った状態から元に戻ろうとするときに、タッチパネルの最初にタッチした位置に再度触れてしまういわゆる２度押しが発生することがあった。このような２度押しにおける最初のタッチと２回目のタッチの間の時間は、一般的なチャタリング時間よりも長く、チャタリング防止の処理を行っていたとしても、２回目のタッチによるキーの実行を受け付けてしまうので、ユーザーが意図しない操作が誤って実行されてしまうおそれがあった。
【０００５】
そこで、２度押しによる誤操作を防ぐため、当業者であれば、タッチパネルがタッチされた後、一定時間の間、タッチ検出を無効にする方法が考えられる。このようなタッチ検出を無効にする構成として、特許文献１には、タッチパネルの画面が遷移してから、所定時間以内に重要なキーがタッチされると、ユーザーにこの重要なキーのタッチ操作をするか否かを確認する確認画面を表示して、ユーザーが確認画面をタッチするまでは、タッチ検出を受け付けない構成が開示されている。
【先行技術文献】
【特許文献】
【０００６】
【特許文献１】特開２０１５−１７０３３１
【発明の概要】
【発明が解決しようとする課題】
【０００７】
しかしながら、上記の構成では、２度押しによる誤操作については防止できたとしても、重要なキーが遷移後の画面においてタッチされた位置から離れている場合でも、重要なキーへのタッチについては、上記のように確認画面が表示されるので、この場合、タッチされた位置から離れた重要なキーへの迅速なタッチ操作を行うことができない。
【０００８】
本発明は、２度押しによる誤操作を防止しつつ、タッチによって表示内容が変更された後の画面におけるキーが、表示内容が変更される前の画面においてタッチされた位置から近いか否かに関わらず、迅速なタッチ操作が可能なタッチパネル式の操作部を備えた画像形成装置を提供することを目的とする。
【課題を解決するための手段】
【０００９】
上記目的を達成するため本発明に係る画像形成装置は、初期操作画面をルート画面とし、そのルート画面に複数の操作画面がツリー状に連関していて、任意の操作画面内のキーをタッチして目的の操作画面まで遷移し、所望の入力を行う、タッチパネル式の操作部を有した画像形成装置であって、タッチパネルへのタッチを検出するタッチ検出手段と、前記各操作画面に配置されたどのキーがタッチされた場合に表示内容がどのように変更されるかを示す情報を集約した情報集約部と、タッチパネルにいずれかの操作画面を表示している状態においてキーが操作された場合、前記情報集約部の集約情報に基づいてタッチパネルの表示内容を変更する描画制御部と、タッチパネルの表示内容が変更された時に、変更後の操作画面でのキータッチを一時的に無効にすべきかどうか判定する判定手段と、判定結果が肯定的な場合に、キータッチを無効にする処理を行う無効手段と、判定結果が否定的な場合に、キータッチを有効として受け付けるキータッチ有効化手段と、を備えることを特徴とする。
【００１０】
また、前記判定手段は、前記表示内容の変更が、画面が遷移するものであり、前記表示内容変更後の前記タッチパネルの操作画面におけるキーが、前記表示内容変更前の前記タッチパネルの操作画面において前記検出されたタッチに対応したキーが占有する領域を含んだ所定領域と重複しない場合に、キータッチを一時的に無効にすべきでないと判定するとしても良い。
【００１１】
さらに、前記判定手段は、前記表示内容の変更が、タッチされたキーの状態が変化するものである場合に、キータッチを一時的に無効にすべきと判定するとしても良い。
【００１２】
また、前記判定手段は、前記表示内容の変更が、画面が遷移するものであり、前記表示内容変更後の前記タッチパネルの操作画面におけるキーが、前記表示内容変更前の前記タッチパネルの操作画面において前記検出されたタッチに対応したキーが占有する領域を含んだ所定領域と重複し、この重複するキーがタッチされてもキー状態の変化および画面遷移が生じない場合に、キータッチを一時的に無効にすべきでないと判定するとしても良い。
【００１３】
さらに、前記判定手段は、前記表示内容の変更が、キーが示す文字が前記タッチパネルの操作画面の一部の表示行に出力されるものである場合に、キータッチを一時的に無効にすべきでないと判定するとしても良い。
【００１４】
また、前記所定領域は、前記検出されたタッチに対応したキーが前記表示内容変更前の前記タッチパネルの操作画面において占有する領域よりも大きいとしても良い。
【発明の効果】
【００１５】
上記の構成によれば、表示内容が変更された後のタッチパネルへのキータッチを、一時的に無効にすべきかどうかを判定し、無効にすべきでないと判定した場合は、キータッチを有効にするので、２度押しによる誤操作を防止しつつ、迅速なタッチ操作を行うことができる。
【図面の簡単な説明】
【００１６】
【図１】本発明の実施形態による画像形成装置の外観を示す斜視図である。
【図２】ＭＦＰの電子制御系統の構成を示すブロック図である。
【図３】操作部の電子制御系統の構成を示すブロック図である。
【図４】タッチパネルの画面の表示内容等を記憶した情報集約テーブルを示す図である。
【図５】画面Ａで「ファクス／スキャン」キーがタッチされたときに、画面Ｃに遷移する様子を示す図である。
【図６】画面Ｂで「用紙」キーがタッチされたときに、画面Ｅに遷移する様子を示す図である。
【図７】画面Ａで「コピー」キーがタッチされたときに、画面Ｂに遷移する様子を示す図である。
【図８】画面Ｆで「直接入力」キーがタッチされたときに、画面Ｇに遷移する様子を示す図である。
【図９】画面Ｃで「宛先ａ」キーがタッチされたときに、画面Ｆのように「宛先ａ」キーの状態が変化する様子を示す図である。
【図１０】画面Ｈで「ｙ」キーがタッチされたときに、画面Ｈの表示行に「ｙ」の文字が出力される様子を示す図である。
【図１１】タッチを無効化する制御とタッチを有効化する制御の流れを説明するフローチャートの一部を示す図である。
【図１２】タッチを無効化する制御とタッチを有効化する制御の流れを説明するフローチャートの残りの部分を示す図である。
【図１３】画面Ｉで「カラー画質調整」キーがタッチされたときに、画面Ｊに遷移する様子を示す図である。
【発明を実施するための形態】
【００１７】
［実施の形態１］
［１］画像形成装置
（１−１）画像形成装置の外観
図１は、本発明の実施形態による画像形成装置（以下、実施形態の中ではＭＦＰ又はマシンという。）の外観を示す斜視図である。
【００１８】
このＭＦＰ１００は、下部に複数段の引き出し式給紙カセット１４０を有し、その上部に画像形成処理を行う画像形成部１０を内蔵した筐体１３０を搭載している。
【００１９】
筐体１３０の上部には、記録紙の排出トレー１５０が設けられている。
【００２０】
排出トレー１５０の上に記録紙束の積載空間を隔てて、原稿読み取り装置１２０が搭載されている。
【００２１】
原稿読み取り装置１２０の右端側前方には、ジョブ条件等を指示する操作部５０がヒンジ１３１を介してヒンジ１３１の回転軸を中心に矢印Ｐ方向またはこれとは逆方向の矢印Ｑ方向に回動並びに角度調整自在に操作部５０が取り付けられている。操作部５０の前面にはタッチパネル５１が設けられ、その周囲に各種の機械的な押しボタン５３が配置されている。
【００２２】
（１−２）画像形成装置の構成
図２は、ＭＦＰ１００の電子制御系統の構成を示すブロック図である。同図に示すように、画像形成部１０、操作部５０、画像入力部２６、および本体制御部３０がバス４０を通して互いに通信可能に接続されている。
【００２３】
（１−２−１）画像形成部
画像形成部１０は、周知の静電複写方式により記録紙上に画像を形成するものである。即ち、作像部１３にて、感光体表面に一様な電荷を主帯電させ、画像データを光変調して、感光体表面を露光して静電潜像を形成し、その潜像にトナー粒子を供給して顕像化し、給送部１２によって給送された記録紙上に転写する。その後、この記録紙を定着部１４で熱圧着してトナー像を定着する。定着後の記録紙は、前記排出トレー１５０上に排出される。
【００２４】
（１−２−２）画像入力部
画像入力部２６は、原稿読み取り装置１２０に加え、メモリーインタフェース（Ｉ／Ｆ）２７とネットワーク（ＬＡＮ）Ｉ／Ｆ２８とを含む。原稿読み取り装置１２０は光学機器を利用して、ＡＤＦ１１０が取り込んだ原稿、またはその下の原稿台に置かれた原稿に光を照射し、その反射光の強度分布から、文字、図柄、または写真を読み取って画像データに変換する。メモリーＩ／Ｆ２７は、ＵＳＢポート、メモリーカードスロット等の映像入力端子を通して、ＵＳＢメモリー、ハードディスクドライブ（ＨＤＤ）等の外付けの記憶装置から印刷対象の画像データを読み込み、またはそれらの記憶装置へ原稿読み取り装置１２０で取り込んだ画像データを書き出す。ＬＡＮＩ／Ｆ２８は外部のＬＡＮに有線または無線で接続され、そのＬＡＮ上の電子機器から印刷対象の画像データを取得し、またはその電子機器へ原稿読み取り装置１２０で取り込んだ画像データを送出する。
【００２５】
（１−２−３）本体制御部
本体制御部３０は、ＭＦＰ１００の内部に設置された１枚の印刷回路基板に実装された電子回路であり、ＣＰＵ３１、ＲＡＭ３２、およびＲＯＭ３３を含む。ＣＰＵ３１は、ＲＯＭ３３から必要なプログラムを読み出し、画像形成制御部１１にプリントジョブの指示をする。指示を受けた画像形成制御部１１は、給送部１２、作像部１３、定着部１４を制御して、プリントジョブを円滑に実行させる。ＲＡＭ３２は、ＣＰＵ３１のワークエリアとして用いられる他、タッチパネルに表示されるべき操作画面を格納している。
【００２６】
（１−２−４）操作部
操作部５０は、ＭＦＰ１００に実装された入力装置（ＵＩ）であり、ユーザーの操作内容を本体制御部３０に通知する。操作部５０は、タッチパネル５１、操作制御部５２、押しボタン５３を含む。
【００２７】
［２］操作部の構成
（２−１）タッチパネル
図３は、操作部５０の電子制御系統の構成を示すブロック図である。
【００２８】
同図に示すように、タッチパネル５１は、ユーザーのタッチ操作を受け付けるタッチパッド４Ｐと、タッチ操作に応じて画面を表示する液晶ディスプレイ（liquid crystal display：ＬＣＤ）４Ｄを備えている。
【００２９】
タッチパッド４Ｐは、静電容量方式で位置検出を行い、行列状に配した透明電極を２枚の保護カバーで挟んだ構造をしている。隣り合う電極間の静電容量は、一定であるが、ユーザーの指やユーザーが手に持つタッチペン等の指示体によってタッチパッド４Ｐがタッチされると、指示体を介して電極間に新たな静電容量が発生し、静電容量の値が変化する。タッチパッド４Ｐが押圧された状態で、行列方向に電極をスキャンして電極間の静電容量を測定し、静電容量の大小からタッチ位置を検出する。
【００３０】
（２−２）操作制御部
操作制御部５２は、ＣＰＵ５２１、インターフェース（Ｉ／Ｆ）５２２、タッチ検出部５２３、キー情報テーブル５２４、情報集約テーブル５２５、タイマー５２６、表示駆動部５２７を備えている。Ｉ／Ｆ５２２には、タッチ検出部５２３、キー情報テーブル５２４、情報集約テーブル５２５、タイマー５２６、表示駆動部５２７、スイッチＳＷ、押しボタン５３が接続されている。
【００３１】
ＣＰＵ５２１は、バス４０を通じて本体制御部３０のＣＰＵ３１と通信しており、ＣＰＵ３１のメインプログラム中の後述するサブルーチン（図１１）を実行するものである。
【００３２】
タッチ検出部５２３は、上記のようにタッチパッド４Ｐの電極間の静電容量を測定することで、タッチされた位置を検出する。
【００３３】
キー情報テーブル５２４は、タッチ位置とキー情報との対応を記憶しており、タッチ位置を元にこのキー情報テーブル５２４を参照することで、対応するキー情報を取得できる。
【００３４】
情報集約テーブル５２５は、後述するタッチパネル５１の表示内容変更後の画面情報等を記憶している。ＣＰＵ５２１が表示内容変更後の画面情報を指定すると、表示内容変更後の画面を表す画像データが、例えばＲＡＭ内の操作画面格納部から表示駆動部５２７に転送される。
【００３５】
表示駆動部５２７は、この画像データに応じて液晶ディスプレイ４Ｄの各画素の輝度を調整する。これにより、タッチパネル５１の画面には、タッチパッド４Ｐの透明電極を介して表示内容変更後の画面が表示される。
【００３６】
タッチ位置を検出するタッチ検出部５２３は、電圧源Ｖ（５ＶＤＣ）で駆動されており、インターフェース（Ｉ／Ｆ）５２２を介したＣＰＵ５２１の指示によるスイッチＳＷのＯＮ／ＯＦＦ切替で、駆動／非駆動が切り替わるように構成されている。タッチ検出部５２３が駆動された状態では、液晶ディスプレイ４Ｄにタッチされた位置の検出ができるが、非駆動の状態では、液晶ディスプレイ４Ｄにタッチされた位置の検出ができない。この意味で、ＣＰＵ５２１が、キータッチを無効にする処理を行う無効手段およびキータッチを有効として受け付けるキータッチ有効化手段として機能している。
【００３７】
タイマー５２６は、ＣＰＵ５２１が、スイッチＳＷをＯＦＦにしてタッチ検出部５２３を非駆動にする場合、スイッチＳＷをＯＦＦにしてからスイッチＳＷを再びＯＮに切り替えるまでの時間を測定するものである。計測する時間は、ユーザーのタッチによってタッチパネル５１の表示内容が変更されてから、ユーザーが２度押しによって表示内容変更後のタッチパネル５１をもう一度タッチしてしまうまでの時間よりも長く、ここでは、１〜２秒程度となっている。
【００３８】
（２−２−１）情報集約テーブル
図４に示すように、情報集約テーブル５２５は、「変更前画面」についての項目６１、「タッチキー」についての項目６２、「変更後画面」についての項目６３、「変更内容」についての項目６４、「重複キー」についての項目６５、「重複キータッチによるキーの状態変化」についての項目６６、「重複キータッチによる画面遷移」についての項目６７、「タッチキーの状態変化」についての項目６８、「タッチ検出」についての項目６９に関する情報を記憶している。行（ｉ）〜（ｖｉ）は、図５〜図１０で示す表示内容変更前
後の画面（表示内容変更後の画面を白抜きの矢印の先に示している）に対応する。なお、タッチパネル５１に表示される画面は、初期操作画面をルート画面として、そのルート画面に複数の操作画面がツリー状に連関した構造をしており、情報集約テーブル５２５は、ルート画面から複数のリーフ画面に至る全ての画面の情報を集約しているが、図４では、その一部を抜粋して示している。以下、情報集約テーブル５２５が記憶する上記の項目に関する情報について説明する。
【００３９】
「変更前画面」の項目６１と「変更後画面」の項目６３は、タッチパネル５１の表示内容が変更される前と変更された後の画面を示しており、「タッチキー」の項目６２は、変更前の画面から変更後の画面に変更されるときにタッチされるキーを示している。
【００４０】
「変更内容」の項目６４は、変更前画面から変更後画面に変更するときの変更内容を示しており、変更内容には、画面遷移、キー状態変化、文字入力がある。
【００４１】
画面遷移は、例えば、図５に示すように変更前の画面Ａで「ファクス／スキャン」キー２１１がタッチされたときに、変更後の画面Ｃが変更前の画面Ａとは異なっていることをいう。なお、本明細書中では、変更前の画面と変更後の画面とを比較した場合に、画面の全体が異なる場合だけでなく、図８の画面Ｆの一点鎖線２４３で囲まれた部分から画面Ｇの一点鎖線２４４で囲まれた部分への変更のように画面の一部が異なる場合にも「遷移する」としている。
【００４２】
キー状態変化は、例えば図９に示すように変更前の画面Ｃで「宛先ａ」キー２５１がタッチされたときに、「宛先ａ」キー２５１が、選択されたことを示す選択マーク２５３が表示された状態に変化することをいう。なお、キー状態変化は、上記のようにキーの一部に選択マーク２５３が表示されるだけに限らず、キー全体がハイライトされる等の状態変化であってもよい。
【００４３】
文字入力は、図１０に示す入力画面のように、変更前の画面Ｈで「ｙ」キー２６１がタッチされたときに、変更後の画面Ｈの表示行２６４に「ｙ」という文字が出力されることをいう。ここで、入力画面は、操作画面の一種であり、キーを入力すると、キーが示す文字が画面の一部の表示行に出力される画面である。また、「キーを入力すると、キーが示す文字が画面に出力」というのは、図１０の画面Ｈの「ｙ」キー２６１のように、入力すると、変更後の画面Ｈの表示行２６４に「ｙ」という文字が出力される場合に限らず、例えば、「左矢印」キー２６７、「右矢印」キー２６８、「削除」キー２６９のように、文字を入力する位置を指し示すカーソルの位置を移動したり、表示行２６４に出力された文字が削除されたりする場合も含まれる。
【００４４】
「重複キー」の項目６５は、変更前の画面でタッチされたキーと位置が重複する変更後の画面のキーの有無を示している。例えば、図５の遷移前の画面Ａの「ファクス／スキャン」キー２１１が 占有する領域（破線２１２で囲む領域）に重複するキー（「宛先ｂ」キー２１３、「宛先ｃ」キー２１４、「宛先ｆ」キー２１５、「宛先ｇ」キー２１６）のことをいう。ここで、「重複する」というのは、キーが占有する領域の全てが、破線２１２で囲む領域に重なる場合だけでなく、「宛先ｇ」キー２１６のように破線２１２で囲む領域に一部のみ重なる場合も含んでいる。なお、図では、分かりやすさのため、破線２１２を、遷移前の画面Ａの「ファクス／スキャン」キー２１１の外枠よりもやや大きく示している（図５〜１０、１３の破線２２２、２３２、２４２、２５２、２６２、２７２についても同様）。
【００４５】
一方、図７に示すように、画面Ａで「コピー」キー２３１がタッチされたときに、画面Ｂに遷移する場合、遷移後の画面Ｂにおいて、遷移前の画面Ａの「コピー」キー２３１が占有する領域（破線２３２で囲む領域）に重複するキーが存在しないときは、重複キーが無いとしている。
【００４６】
「重複キータッチによるキーの状態変化」の項目６６は、重複キーをタッチすることによって、キーの状態が変化するか否かを示している。例えば、図５の画面Ｃの重複キーの１つである「宛先ｂ」キー２１３をタッチすると、図９の表示内容変更後の画面Ｃの「宛先ａ」キー２５１を選択したことを示す選択マーク２５３のように選択されたことが分かる状態になるように設定されている。このようなキーの状態変化があるとき、重複キータッチによるキーの状態変化が有るとしている。
【００４７】
一方、重複キーが図８に示す画面Ｆの「直接入力」キー２４１である場合、この「直接入力」キー２４１がタッチされても、遷移後の画面Ｇの「直接入力」キー２４１は、状態が変わらない。このとき、重複キータッチによるキーの状態変化が無いとしている。
【００４８】
「重複キータッチによる画面遷移」の項目６７は、重複キーをタッチすることによって、画面が遷移するか否かを示している。例えば、図６では、遷移前の画面Ｂで「用紙」キー２２１がタッチされたときに、画面Ｅに遷移し、この画面Ｅでもう一度「用紙」キー２２１がタッチされると、画面Ｂに遷移するように設定されている。このように重複キーをタッチすることによって、画面が遷移するとき、重複キータッチによる画面遷移が有るとしている。
【００４９】
一方、図８に示す遷移後の画面Ｇでは、重複キーである「直接入力」キー２４１をタッチしても、画面が遷移しないように設定されている。このような重複キーをタッチしても、画面が遷移しないとき、重複キータッチによる画面遷移が無いとしている。
【００５０】
「タッチキーの状態変化」の項目６８は、キーのタッチによって画面の遷移がないとき、タッチされたキーの状態変化が有るか否かを示している。例えば、図９に示すように「宛先ａ」キー２５１が選択されていない状態から、選択マーク２５３の表示によって選択されたことが分かる状態に変化するとき、タッチキーの状態変化が有るとしている。
【００５１】
一方、図１０に示す入力画面のように、表示内容変更前の画面Ｈで「ｙ」キー２６１がタッチされても、タッチした「ｙ」キー２６１の状態が変化しないとき、タッチキーの状態変化が無いとしている。
【００５２】
「タッチ検出」の項目６９は、タッチ検出を無効にするか有効にするかを示しており、前述の項目６４〜６８の情報によって決定される。
【００５３】
［３］タッチ検出無効化制御およびタッチ検出有効化制御
次に、タッチによってタッチパネルの表示内容が変更された後、タッチパネルへのタッチ検出を無効化する場合と、検出を有効化する場合について、図４〜図１２を用いて説明する。
【００５４】
（３−１）初期操作画面からの表示内容変更
図１１は、タッチを無効化する制御とタッチを有効化する制御の流れを説明するフローチャートの一部を示す図であり、図１２は、タッチを無効化する制御とタッチを有効化する制御の流れを説明するフローチャートの残りの部分を示す図である。
【００５５】
図１１に示すように、ＣＰＵ５２１がプログラムの実行をスタートすると、タッチパネル５１に初期操作画面を表示し（ステップＳ１０１）、ユーザーによって、タッチパネル５１にタッチ操作がされるのを待つ（ステップ１０２）。
【００５６】
タッチパネル５１がタッチされると（ステップＳ１０２でＹｅｓ）、タッチ検出部５２３によって、タッチされた位置が検出され、情報集約テーブル５２５を参照して（ステップＳ１０３）、タッチされた位置に対応するキー情報を取得し、取得したキー情報に応じてタッチパネル５１の表示の変更内容についての情報を取得する（ステップＳ１０４）。なお、情報集約テーブル５２５を参照するときは、１つの行（例えば（ｉ）の行）におけ
る変更内容の項目６４だけでなく、１つの行における項目６１〜６９の全ての情報を、操作制御部５２のＲＡＭ（不図示）に記憶させる。そして、このＲＡＭから該当する項目の情報を取得する。ＲＡＭに記憶された項目６１〜６９の情報は、次のタッチが行われ、再度、情報集約テーブル５２５を参照するときに上書きされる。
【００５７】
変更内容が画面遷移の場合（ステップ１０５でＹｅｓ）、画面遷移を実行し（ステップＳ１０６）、遷移後の画面に重複キーが有るか否かを判断する（ステップＳ１０７）。
【００５８】
（３−１−１）重複キーが存在しない場合
重複キーが存在しない場合（ステップＳ１０７でＮｏ）、図４の（ｉｉｉ）の行のよう
に重複キーの項目が、「無し」（図７の画面Ｂ）の場合、タッチパネル５１にタッチ操作があれば直ちに受け付ける（ステップＳ１１２）。タッチ操作が行われ（ステップＳ１１２でＹｅｓ）、そのタッチ操作がリセットキーである場合（ステップＳ１１３でＹｅｓ）は、リセットを実行して、操作部５０に初期操作画面を表示する。このように重複キーが存在しない場合は、図４の（ｉｉｉ）の行のタッチ検出の項目６９は、「有効」になって
おり、タッチ検出を有効にする。
【００５９】
タッチ検出を有効にする理由は、ユーザーが、２度押しによって最初にタッチした位置に再度触れてしまっても、遷移後の画面においては、再度触れた位置にキーが存在せず、２度押しによる誤操作が生じないためである。これにより、画面遷移後、すぐにタッチ検出が有効となるので、ユーザーは、迅速な操作を行うことができる。
【００６０】
ステップＳ１１３において、タッチ操作がリセットキー以外のキーである場合は、情報集約テーブル５２５を参照し（ステップＳ１０３）、変更内容の情報を取得する（ステップＳ１０４）。
【００６１】
（３−１−２）重複キーが存在する場合
重複キーが存在する場合（ステップＳ１０７でＹｅｓ）、重複キーをタッチしても重複キーの状態変化が無いか否かを判断する（ステップＳ１０８）。
【００６２】
（３−１−２−１）状態変化の有無による判断
重複キーの状態変化が有る場合（ステップＳ１０８でＮｏ）、スイッチＳＷをＯＦＦにする（ステップＳ１１０）。このように重複キーの状態変化が有る場合（例えば、図５の遷移後の画面Ｃの「宛先ｂ」キー２１３）は、図４の（ｉ）の行のタッチ検出の項目６９
は、「無効」になっており、タッチ検出を無効にする。
【００６３】
タッチ検出を無効にする理由は、以下の通りである。すなわち、２度押しによって、図５の遷移後の画面Ｃの「宛先ｂ」キー２１３がタッチされると、ユーザーの意図に反して「宛先ｂ」キー２１３が選択された状態に変化し、ユーザーが、「宛先ｂ」キー２１３が選択されたことを気付かない場合、このまま意図しないジョブが実行されるおそれがあるからである。
【００６４】
スイッチＳＷがＯＦＦにされると、タイマー５２６が、予め設定された時間を計測し、その時間が経過すると通知するようになっており、この通知があるとスイッチＳＷをＯＮにする（ステップＳ１１１）。スイッチＳＷをＯＦＦにしてから、再びスイッチＳＷをＯＮにするまでの間は、タッチ検出を受け付けないので、２度押しによって、重複キーをタッチしたとしても、重複キーのタッチによる誤操作を防止することができる。
【００６５】
一方、ステップＳ１０８において、重複キーの状態変化が無い場合、重複キーをタッチしても画面が遷移しないかどうかを判断する（ステップＳ１０９）。
【００６６】
なお、画面上のキーの大きさや配置は様々であり、図５の遷移後の画面Ｃの「宛先ｂ」キー２１３、「宛先ｃ」キー２１４、「宛先ｆ」キー２１５、「宛先ｇ」キー２１６のように、重複キーが複数存在することがある。遷移後の画面において、タッチによって状態変化する重複キーとタッチによって状態変化しない重複キーがいずれも存在する場合は、２度押しによる誤操作防止の観点から、ステップＳ１０８でＮｏ（重複キーの状態変化が有る）と判断する。
【００６７】
（３−１−２−２）画面遷移の有無による判断
ステップＳ１０９において、重複キーをタッチしても画面の遷移が無い場合は、タッチパネル５１にタッチ操作があれば直ちに受け付ける（ステップＳ１１２）。このように重複キーをタッチしても画面の遷移が無い場合（例えば、図８の遷移後の画面Ｇで「直接入力」キー２４１をタッチする場合）は、図４の（ｉｖ）の行のタッチ検出の項目６９は、
「有効」になっており、タッチ検出を無効にしない。
【００６８】
タッチ検出を無効にしない理由は、ユーザーが、２度押しによって最初にタッチした位置の重複キーを再度触れてしまっても、この重複キーをタッチすることによって画面が遷移しないので、２度押しによる誤操作が生じないためである。これにより、画面遷移後、すぐにタッチ検出が有効となるので、ユーザーは、迅速な操作を行うことができる。
【００６９】
一方、ステップＳ１０９において、重複キーをタッチすると画面の遷移が有る場合は、スイッチＳＷをＯＦＦにする（ステップＳ１１０）。このように重複キーをタッチすると画面の遷移が有る場合（例えば、図６の遷移後の画面Ｅで「用紙」キー２２１をタッチする場合）は、図４の（ｉｉ）の行のタッチ検出の項目６９は、「無効」になっており、タ
ッチ検出を無効にする。
【００７０】
タッチ検出を無効にする理由は、次の通りである。すなわち、２度押しによって、図６の遷移後の画面Ｅの「用紙」キー２２１がタッチされると、ユーザーの意図に反して遷移前の画面Ｂに遷移するので、ユーザーからすると、キーをタッチしたのに、画面が何も変わっていないことになる。このため、ユーザーは、正しいキーをタッチしているにもかかわらず、もう一度同じキーのタッチをやり直す必要があり、無駄な操作が増えることになるからである。スイッチＳＷをＯＦＦにしてから、再びスイッチＳＷをＯＮにする（ステップＳ１１１）までの間は、タッチ検出を受け付けないので、２度押しによって、重複キーをタッチしたとしても、重複キーの実行がされず、意図しない画面の遷移を防止することができる。
【００７１】
なお、遷移後の画面において、タッチすると画面が遷移する重複キーと、タッチしても画面が遷移しない重複キーがいずれも存在する場合は、２度押しによる誤操作防止の観点から、ステップＳ１０８でＮｏ（画面の遷移有り）と判断する。
【００７２】
（３−２）初期操作画面以外の画面からの表示内容変更
初期操作画面以外の画面では、タッチパネル５１の表示の変更内容が、画面遷移でない場合もあり、この場合（ステップ１０５でＮｏ）は、図１２に示すようにタッチしたキーの状態変化が有るか否かを判断する（ステップＳ１１４）。
【００７３】
（３−２−１）タッチキーの状態が変化する場合
タッチしたキーの状態変化が有る場合（ステップＳ１１４でＹｅｓ）、タッチしたキーの状態を変化させ（ステップＳ１１５）、スイッチＳＷをＯＦＦにする（ステップＳ１１６）。このように、タッチしたキーの状態変化がある場合（例えば、図９の「宛先ａ」キー２５１をタッチする場合）は、図４の（ｖ）の行のタッチ検出の項目６９は、「無効」になっており、タッチ検出を無効にする。
【００７４】
タッチ検出を無効にする理由は、次の通りである。すなわち、２度押しによって、図９の「宛先ａ」キー２５１がタッチされると、ユーザーの意図に反して「宛先ａ」キー２５１の選択が解除されてしまい、ユーザーが、これに気付かない場合は、そのまま操作を進めてしまい、間違いに気付いた段階で、「宛先ａ」キー２５１を選択し直す必要がある。このため、ユーザーは、正しいキーをタッチしているにもかかわらず、もう一度同じキーのタッチをやり直す必要があり、無駄な操作が増えることになるからである。スイッチＳＷをＯＦＦにしてから、再びスイッチＳＷをＯＮにする（ステップＳ１１７）までの間は、タッチ検出を受け付けないので、２度押しによって、重複キーをタッチしたとしても、重複キーの実行がされず、意図しない操作を防止することができる。
【００７５】
スイッチＳＷをＯＮにした後は、タッチパネル５１にタッチ操作がされるのを待つ（ステップＳ１１２）。
【００７６】
（３−２−２）入力画面の場合
タッチしたキーの状態変化が無い場合（ステップＳ１１４でＮｏ）は、言い換えると入力画面で文字入力するキーがタッチされたことになり、タッチされたキーが示す文字を画面の一部の表示行に出力し、その後は、タッチパネル５１にタッチ操作があれば直ちに受け付ける（ステップＳ１１２）。
【００７７】
このように、入力画面で、文字入力するキーがタッチされた場合（例えば、図１０の「ｙ」キー２６１をタッチする場合）は、図４の（ｖｉ）の行のタッチ検出の項目６９は、
「有効」になっており、タッチ検出を有効にする。
【００７８】
タッチ検出を有効にする理由は、ユーザーがＩＤ等の文字を入力する際に、タッチ検出を無効にすると、文字を入力してから次の文字を入力するまでに毎回タイマー５２６が計測する時間（１〜２秒程度）が経過するのを待たなければならず、これによりユーザーの操作性が低下するためである。なお、２度押しによる誤操作防止の観点から、上記のように入力画面で、文字入力するキーがタッチされた場合、タッチ検出を無効にしてもよい。
［実施の形態２］
上記実施の形態１では、遷移後の画面における重複キーの有無を、遷移後の画面におけるキーが、遷移前にタッチしたキーが占有する領域と重複するか否かで判断する構成例を説明したが、本実施の形態２では、この構成に代えて、遷移後の画面におけるキーが、遷移前にタッチしたキーが占有する領域よりも大きな領域と重複するか否かで判断する構成になっており、この点で実施の形態１と異なっている。以下、説明の重複を避けるため、実施の形態１と同じ内容については、その説明を省略し、同じ構成要素については、同符号を付すものとする。
【００７９】
図１３は、画面Ｉで「カラー画質調整」キー２７１がタッチされたときに、画面Ｊに遷移する様子を示す図である。同図に示すように、遷移後の画面Ｊにおいて、「カラー画質調整」キー２７３が占有する領域（破線２７２で囲む領域）に重複するキーは、存在しないが、「コピー濃度」キー２７３は、破線２７２が縦方向と横方向ともに一定距離Ｌを保って拡張された一点鎖線２７４が囲む領域と重複している。一定距離Ｌは、２度押しにおいて、１回目のタッチと２回目のタッチの間に指示体がずれ得る距離であり、５ｍｍ〜１０ｍｍ程度である。
【００８０】
本実施の形態２では、破線２７２ではなく、一点鎖線２７４が囲む領域と重複するキー（例えば、図１３の「コピー濃度」キー２７３）を「重複キー」であるとしている。この理由は、次の通りである。
【００８１】
すなわち、画面上のキーは、ある程度の大きさを有しており、その大きさに収まるようにタッチすればよいので、場合によっては、キーの外縁付近をタッチすることがある。また、２度押しにおいて、遷移前の画面をタッチしてから、遷移後の画面をタッチするまでの間は、ユーザーの指やタッチペン等の指示体がタッチパネル５１から離れるので、その間、指示体が僅かに移動することがある。このように、２度押しのうち、１回目のタッチ位置が、キーの外縁付近であり、かつ１回目のタッチと２回目のタッチの間に指示体が移動して、１回目と２回目のタッチ位置がずれた場合、１回目にタッチしたキーが占有する領域と重複しないキーをタッチしてしまうおそれがあるからである。
【００８２】
このように、重複キーの有無を、遷移前にタッチしたキーが占有する領域よりも大きな領域と重複するか否かで判断する構成とすることで、１回目と２回目のタッチ位置がずれた場合においても、２度押しによる誤操作を精度良く防止することができる。
【００８３】
＜変形例＞
以上、本発明を実施の形態に基づいて説明してきたが、本発明は、上述の構成に限定されないのは勿論であり、以下のような変形例が考えられる。
【００８４】
（１）上記実施の形態１、２では、タッチパッド４Ｐの位置検出を静電容量方式で行う構成例を説明したが、これに限られない。例えば、抵抗膜方式、超音波表面弾性波方式、光学式等、周知のいずれの方式であってもよい。
【００８５】
（２）上記実施の形態１、２では、キー情報テーブル５２４、情報集約テーブル５２５が操作制御部５２に含まれる構成例を説明したが、これらが操作制御部５２ではなく、本体制御部３０のＲＡＭ３２に記憶されている構成例も考えられる。
【００８６】
（３）上記実施の形態及び上記変形例の構成をそれぞれ可能な限り組み合わせるとしても良い。
【産業上の利用可能性】
【００８７】
本発明は、タッチパネル式の操作部を備えた画像形成装置に適用することができる。
【符号の説明】
【００８８】
５０      操作部
５１      タッチパネル
５２      操作制御部
１００      ＭＦＰ
５２１      ＣＰＵ
５２２      Ｉ／Ｆ
５２３      タッチ検出部
５２４      キー情報テーブル
５２５      情報集約テーブル
５２６      タイマー
５２７      表示駆動部
ＳＷ      スイッチ
【図１】
2020115295.tif 000003
【図２】
2020115295.tif 000004
【図３】
2020115295.tif 000005
【図４】
2020115295.tif 000006
【図５】
2020115295.tif 000007
【図６】
2020115295.tif 000008
【図７】
2020115295.tif 000009
【図８】
2020115295.tif 000010
【図９】
2020115295.tif 000011
【図１０】
2020115295.tif 000012
【図１１】
2020115295.tif 000013
【図１２】
2020115295.tif 000014
【図１３】
2020115295.tif 000015